(57)【特許請求の範囲】
【請求項１】
表示部に映像を表示する表示装置において、
前記表示部に表示する前記映像の明るさ及びコントラストのうち少なくとも何れかを、所定の期間内において所定の範囲内で非周期的に変化させる制御手段を備え、
前記制御手段は、前記映像が表示される画面の明るさ設定の設定値が大きくなるに連れて段階的に狭くなるような範囲を、前記所定の範囲として決定するように構成されている、ことを特徴とする表示装置。
【請求項２】
前記制御手段は、前記設定値と前記画面の画面サイズとの組み合わせに応じた広さの範囲を、前記組み合わせ毎に前記範囲の広さが示されている所定のデータを参照することで、前記所定の範囲として決定するように構成され、
前記所定のデータには、前記設定値との組み合わせであって相対的に狭い範囲が定められている組み合わせを構成する画面サイズが、当該設定値との組み合わせであって相対的に広い範囲が定められている組み合わせを構成する画面サイズよりも大きい旨が示され、
前記所定のデータには、画面サイズとの組み合わせであって相対的に狭い範囲が定められている組み合わせを構成する設定値が、当該画面サイズとの組み合わせであって相対的に広い範囲が定められている組み合わせを構成する設定値よりも大きい旨が示されている、ことを特徴とする、請求項１に記載の表示装置。
【請求項３】
バックライトを備えており、
前記制御手段は、前記バックライトの明るさを所定の期間内において所定の範囲内で非周期的に変化させるバックライト制御手段を備えている、ことを特徴とする請求項１または２に記載の表示装置。
【請求項４】
前記制御手段は、前記映像の各画素値を補正することによって前記映像のコントラストを所定の期間内において所定の範囲内で非周期的に変化させるコントラスト制御手段を備えている、ことを特徴とする請求項１から３のいずれか１項に記載の表示装置。
【請求項５】
乱数表を管理する乱数表管理手段を更に備え、
前記制御手段は、前記乱数表を参照して、前記映像の明るさ及びコントラストのうち少なくとも何れかを、所定の期間内において所定の範囲内で非周期的に変化させるものである、ことを特徴とする請求項１から４の何れか１項に記載の表示装置。
【請求項６】
前記制御手段は、前記乱数表に含まれる各乱数の移動平均を参照して、前記映像の明るさ及びコントラストのうち少なくとも何れかを、所定の期間内において所定の範囲内で非周期的に変化させるものである、ことを特徴とする請求項５に記載の表示装置。
【請求項７】
請求項１から６の何れか１項に記載の表示装置を備えていることを特徴とするテレビジョン受像機。
【請求項８】
請求項１から６の何れか１項に記載の表示装置を動作させるための制御プログラムであって、コンピュータを上記各手段として機能させるための制御プログラム。
【請求項９】
請求項８に記載の制御プログラムを記録したコンピュータ読み取り可能な記録媒体。
【発明の詳細な説明】
【技術分野】
【０００１】
本発明は、映像を表示する表示装置、表示装置の制御方法、テレビジョン受像機、制御プログラム、および記録媒体に関するものである。
【背景技術】
【０００２】
テレビが高解像化し、ハイビジョン、フルハイビジョンテレビが一般的となっている状況において、古い映画は映画会社など配給側でリマスター処理が行われたＢＤ（Blu-ray（登録商標） Disc）が発売され、高画質の映像で楽しめる環境が一般的である。
【０００３】
一方で、古い映画が高画質にリマスターされることで明るい鮮明な映像となってしまうため、テレビドラマを見ているような感覚になってしまい、古い映画を昔の映画館で見ているようなテイストが失われてしまう。
【０００４】
そこで、高画質の古い映画を、昔の映画館で見ているようなテイストで再生する技術が開発されている。例えば、特許文献１には、バックライトの照射を制御して明滅を発生させ、映画館で古いシャッター式の映写機を使用しているかのような演出を実現する技術が記載されている。また、特許文献２には、入力画像から高周波強調画像および低周波画像を作成し、両画像を交互に読み出して画像を表示することにより、従来の映画館で表現されていた倍速周波数（４８Ｈｚ）のフリッカ感や２重像を電子ディスプレイにおいて再現する技術が記載されている。
【先行技術文献】
【特許文献】
【０００５】
【特許文献１】特開２０１２−８５１５号公報（２０１２年１月１２日公開）
【特許文献２】特開２０１１−１７９３６号公報（２０１１年１月２７日公開）
【発明の概要】
【発明が解決しようとする課題】
【０００６】
昔の映画館では、古い映写機で上映されていた。昔の映画館において、このような古い映写機に使用されていたハロゲンランプやカーボンアーク（以降、単にランプと呼ぶ）にかかる電圧は、安定していなかった。そのため、ランプから放射される光は、明るくなったり暗くなったりするといったふらつき（ランプ揺らぎと呼ぶ）が生じていた。
【０００７】
しかしながら、上記従来の構成では、上記ランプ揺らぎを再現しておらず、古い映画の映像を昔の映画館で見ているような雰囲気の再現性に関して改善の余地があった。
【０００８】
本発明は、上記課題に鑑みてなされたものであり、その主な目的は、古い映画の映像を昔の映画館で見ている雰囲気を、再現することが可能な表示装置を実現することにある。
【課題を解決するための手段】
【０００９】
上記の課題を解決するために、本発明における表示装置は、表示部に映像を表示する表示装置において、前記表示部に表示する前記映像の明るさ及びコントラストのうち少なくとも何れかを、所定の期間内において所定の範囲内で非周期的に変化させる制御手段を備えている、ことを特徴としている。
【００１０】
上記構成によれば、表示装置は、実際の昔の映写機のように、ランプから放射される光が明るくなったり暗くなったりするといったランプのふらつき（ランプ揺らぎ）を、周期性のない実際の映写機に近い状態で再現することができる。
【００１１】
すなわち、上記表示装置は、古い映画の映像を昔の映画館で見ている雰囲気を再現することができる。
【００１２】
また、本発明における前記表示装置の前記表示部はバックライトを備えており、前記制御手段は、前記バックライトの明るさを所定の期間内において所定の範囲内で非周期的に変化させるバックライト制御手段を備えている、ことが好ましい。
【００１３】
上記構成によれば、表示装置は、バックライトの明るさを非周期的に変化させることができる。よって、より好適に周期性のない実際の映写機に近いランプ揺らぎを再現することができる。
【００１４】
また、本発明における前記表示装置の前記制御手段は、前記映像の各画素値を補正することによって前記映像のコントラストを所定の期間内において所定の範囲内で非周期的に変化させるコントラスト制御手段を備えている、ことが好ましい。
【００１５】
上記構成によれば、表示装置は、映像のコントラストを非周期的に変化させることができる。よって、より好適に周期性のない実際の映写機に近いランプ揺らぎを再現することができる。
【００１６】
また、本発明における前記表示装置は、乱数表を管理する乱数表管理手段を更に備え、前記制御手段は、前記乱数表を参照して、前記映像の明るさ及びコントラストのうち少なくとも何れかを、所定の期間内において所定の範囲内で非周期的に変化させるものである、ことが好ましい。
【００１７】
これにより、表示装置は、より好適に周期性のない実際の映写機に近いランプ揺らぎを再現することができる。
【００１８】
また、本発明における前記表示装置の前記制御手段は、前記乱数表に含まれる各乱数の移動平均を参照して、前記映像の明るさ及びコントラストのうち少なくとも何れかを、所定の期間内において所定の範囲内で非周期的に変化させるものである、ことが好ましい。
【００１９】
これにより、表示装置は、よりなだらかに、周期性のない実際の映写機に近いランプ揺らぎを再現することができる。
【００２０】
また、本発明における前記表示装置の前記所定の範囲は、前記表示部のサイズに応じて決定されている、構成であってもよい。
【００２１】
表示部のサイズが大きい表示装置の場合、映像の明るさおよび／またはコントラストを大きく変化させることにより、ユーザによっては、気分が悪くなってしまう可能性がある。
【００２２】
上記構成によれば、表示装置の表示部のサイズに応じて上記所定の範囲を決定することにより、ユーザに不快感を与えることなく、より好適に周期性のない実際の映写機に近いランプ揺らぎを再現することができる。
【００２３】
また、本発明の一態様に係る前記表示装置は、前記制御手段が、前記映像が表示される画面の明るさ設定の設定値が大きくなるに連れて段階的に狭くなるような範囲を、前記所定の範囲として決定するように構成されている、ことが好ましい。
【００２４】
後述するように画面の明るさの過度な変動が生じた場合にはユーザが違和感を覚える虞があるが、上記構成によれば、前記表示装置は、ユーザが画面の明るさを強く設定した場合には、画面の明るさをそれほど大きく変動させない。
【００２５】
したがって、前記表示装置は、ユーザに与える違和感を緩和させることができる。
【００２６】
また、本発明の一態様に係る前記表示装置では、前記制御手段が、前記設定値と前記画面の画面サイズとの組み合わせに応じた広さの範囲を、前記組み合わせ毎に前記範囲の広さが示されている所定のデータを参照することで、前記所定の範囲として決定するように構成され、前記所定のデータには、前記設定値との組み合わせであって相対的に狭い範囲が定められている組み合わせを構成する画面サイズが、当該設定値との組み合わせであって相対的に広い範囲が定められている組み合わせを構成する画面サイズよりも大きい旨が示され、前記所定のデータには、画面サイズとの組み合わせであって相対的に狭い範囲が定められている組み合わせを構成する設定値が、当該画面サイズとの組み合わせであって相対的に広い範囲が定められている組み合わせを構成する設定値よりも大きい旨が示されている、ことが好ましい。
【００２７】
後述するように、ユーザが画面の明るさを強く設定した場合、画面サイズが大きければ大きいほど前述の違和感が強くなり易いが、上記の構成によれば、前記表示装置は、明るさ設定の設定値と画面サイズとの組み合わせによって画面の明るさの変動範囲の広さを決定する。具体的には、前記表示装置は、画面サイズが大きい場合には画面の明るさの変動範囲を相対的に狭くし、画面サイズが小さい場合には画面の明るさの変動範囲を相対的に広くする。従って、前記表示装置は、ユーザに与える違和感を緩和させるための処理を、画面サイズの大きさに応じてより適切に行うことができる。
【００２８】
上記の課題を解決するために、本発明における表示装置の制御方法は、表示部に映像を表示する表示装置の制御方法において、前記表示部に表示する前記映像の明るさ及びコントラストのうち少なくとも何れかを、所定の期間内において所定の範囲内で非周期的に変化させる制御工程を含んでいる、ことを特徴としている。
【００２９】
上記の構成によれば、本発明に係る表示装置と同様の効果を奏する。
【００３０】
また、上記表示装置を備えているテレビジョン受像機も本発明の範疇に含まれる。
【００３１】
また、上記表示装置を動作させるための制御プログラムであって、コンピュータを上記各手段として機能させるための制御プログラムおよび上記制御プログラムを記録したコンピュータ読み取り可能な記録媒体も本発明の範疇に含まれる。
【発明の効果】
【００３２】
本発明における表示装置は、表示部に映像を表示する表示装置において、前記表示部に表示する前記映像の明るさ及びコントラストのうち少なくとも何れかを、所定の期間内において所定の範囲内で非周期的に変化させる制御手段を備えている、ことを特徴としている。
【００３３】
上記構成によれば、表示装置は、古い映画の映像を昔の映画館で見ている雰囲気を再現することができるという効果を奏する。
【図面の簡単な説明】
【００３４】
【図１】本発明の実施形態に係る表示装置の要部構成の一例を示すブロック図である。
【図２】時間経過に対するバックライトの明るさの変化を示した図である。
【図３】バックライトの明るさを制御する際に用いる乱数テーブルの一例を示した図である。
【図４】バックライト制御回路におけるバックライトの制御の流れの一例を示したフローチャートである。
【図５】バックライトの明るさを制御する際に用いる平均テーブルであって、図３の乱数テーブルを用いて作成した平均テーブルの一例を示した図である。
【図６】画面サイズに対して、ユーザが設定した値であって、画面の明るさ設定の値における、画面の明るさの変動範囲を示すテーブルの一例を示す図である。
【発明を実施するための形態】
【００３５】
＜実施形態１＞
以下に、本発明の一実施形態について図１から図６に基づいて説明する。
【００３６】
〔表示装置の構成〕
本発明に係る表示装置について図１に基づいて説明する。本発明に係る表示装置は、画像を表示する装置であり、例えば、デジタルテレビ、ＰＣモニター、携帯電話機、ＰＤＡ（Personal Digital Assistant）、ゲーム機、電子黒板、デジタルカメラ、ビデオカメラ等である。なお、表示装置を備えたテレビジョン受像機も本明細書に記載された発明の範疇に含まれる。
【００３７】
本実施形態に係る表示装置には、ゲームモードや通常の映画モード等の画質調整モードに加えて、画質調整モードとして映画（クラシック）モードが備わっている。映画（クラシック）モードは、往年の名作映画の映像を表示した場合に前述したような独特な精細感、ノイズやちらつき等ができるだけ再現されるような画質（所定の画質）にするための画質調整モードである。
【００３８】
図１は、表示装置１の要部構成の一例を示すブロック図である。図１に示すように、表示装置１は、映像処理回路（制御手段、コントラスト制御手段、乱数表管理手段）２、バックライト制御回路（制御手段、バックライト制御手段）３、駆動回路４、表示パネル５およびバックライト６を備えている。なお、表示装置１は、外部から映像信号を取得（受信）する通信部およびアンテナ等、並びに、映像信号を保持する記憶部、並びに、映像信号を復号する復号部およびチューナ等、並びに、操作部、音声入力部および音声出力部等の部材を備えていてもよいが、発明の特徴点とは関係がないため当該部材を図示していない。
【００３９】
映像処理回路２は、取得した映像の画質を調整したり、取得した映像をスケーリングしたりするものである。ここで、画質の調整とは、例えば、取得した映像の各画素値を補正することによって、当該映像のコントラストを変化させることを指す。また、映像処理回路２は、画質の調整として、輝度およびシャープネスの少なくとも何れかを変化させてもよい。また、スケーリングとは、表示すべき映像本来のアスペクト比を保ったままサイズを縮小することを指す。映像処理回路２は、画質調整およびスケーリングを施した映像信号を駆動回路４に出力する。
【００４０】
バックライト制御回路３は、バックライト６が光を照射する時期（タイミング）、バックライト６が光を照射する期間（光を照射しない期間）およびバックライト６が照射する光の強度（明るさ）等を制御するものである。バックライト制御回路３の詳細については後述する。
【００４１】
駆動回路４は、映像処理回路２から映像信号を受信し、受信した映像信号に基づいて、表示パネル５の各画素を透過する光量を制御するものである。
【００４２】
表示パネル５は、ＲＧＢ等の画素を有し、バックライト６から照射された光が各画素を透過することにより、映像を表示するものである。表示パネルは、例えば、液晶パネルである。
【００４３】
バックライト６は、表示パネル５に向けて光を照射する直下型ＬＥＤバックライトである。ただし、バックライト６は、これに限るものではなく、エッジライト方式であってもよいし、冷陰極管等の他の光源を用いてもよい。
【００４４】
図１に示すように、本実施形態では、表示パネル５およびバックライト６を含むものを表示部７と称する。換言すると、表示部７は、映像を表示するものである。なお、表示パネル５およびバックライト６に加えて、バックライト制御回路３もしくは駆動回路４、または、バックライト制御回路３および駆動回路４を備えるものを表示部７としてもよい。
【００４５】
（バックライト制御回路３の制御について）
次に、図２から図５を参照して具体例を挙げながら、バックライト制御回路３が行うバックライト６の輝度（明るさ）の制御（変化）について、説明を行う。
【００４６】
（具体例１）
最初に、バックライト制御回路３の制御の具体例１について図２を参照しながら以下に説明する。図２は、時間経過に対するバックライト６の明るさの変化を示した図である。図２において、横軸は時間を示し、縦軸は明るさを示す。本実施形態においては、通常時の明るさを１００％として設定している。以降、設定されたバックライト６の明るさを、バックライト設定値と呼ぶ。
【００４７】
図２に示すように、バックライト制御回路３は、予め表示装置１が管理している乱数を用いて、所定のフレーム（コマ）毎に、所定の範囲内で非周期的（ランダム）にバックライト６の明るさを変化させる。図２においては、３フレーム毎に、バックライト６の明るさを変化させているが、本発明はこれに限定するものではない。
【００４８】
なお、乱数は映像処理回路２が発生させた乱数であってもよいし、外部機器から取得した乱数であってもよい。
【００４９】
なお、本実施形態において、バックライト６の明るさを変化させる範囲（所定の範囲）は、５０〜１００（％）の範囲（上限値と下限値との差（変動範囲）が５０％）であるとするが、所定の範囲はこれに限定されない。表示パネル５のサイズが大きい表示装置の場合、バックライト６の明るさを大きく変化させることにより、ユーザによっては、気分が悪くなってしまう可能性がある。そのため、バックライト６の明るさを変化させる範囲は、表示装置１の表示パネル５のサイズに応じて決定してもよい。
【００５０】
例えば、表示パネル５のサイズが６０インチ以下のとき、所定の範囲を５０〜１００（％）（変動範囲５０％）とし、表示パネル５のサイズが７０インチのとき、所定の範囲を６０〜１００（％）（変動範囲４０％）とし、表示パネル５のサイズが８０インチのとき、所定の範囲を７０〜１００（％）（変動範囲３０％）とし、表示パネル５のサイズが９０インチのとき、所定の範囲を８０〜１００（％）（変動範囲２０％）としてもよい。なお、表示パネル５のサイズに対する所定の範囲は一例であり、これに限定されるものではない。
【００５１】
なお、乱数は、バックライト６の明るさを変化させる範囲（所定の範囲）内に含まれる数値である。本実施形態において、所定の範囲は５０〜１００であるため、乱数は、５０〜１００の範囲内の数値である。
【００５２】
バックライト制御回路３は、通常時のバックライト６のバックライト設定値から、上記乱数をオフセットとして引くことにより、バックライト設定値を算出する。なお、バックライト制御回路３は、通常時のバックライト６のバックライト設定値から、上記乱数をゲイン値として掛けることにより、バックライト設定値を算出してもよい。このように、映画（クラシック）モードにおいて、通常時のバックライト６の明るさを減らすようにバックライト設定値を変化させることにより、バックライト６に異常な負荷をかけることを防ぐことができる。
【００５３】
以上のように、バックライト制御回路３は、乱数を用いて、表示パネル５に表示する映像の明るさ（バックライト６の明るさ）を所定の範囲内で非周期的に変化させる。これにより、表示装置１は、周期性のない実際の映写機に近いランプ揺らぎを再現することができる。
【００５４】
（具体例２）
次に、バックライト制御回路３の制御の具体例２について図３を参照しながら以下に説明する。具体例２において、映像処理回路２は、乱数をテーブル（乱数表）として管理し、バックライト制御回路３は、当該テーブル（乱数テーブル）から取得した乱数を用いて、バックライト設定値を算出する。図３は、バックライト制御回路３がバックライト６の明るさを制御する際に用いる乱数テーブルの一例を示した図である。
【００５５】
映像処理回路２は、乱数を図３に示すような乱数テーブルとして管理する。図３に示すように、映像処理回路２は、左上から右に向かって、順に、１００、７５、８４、９２、・・・といった乱数テーブルを管理する。なお、乱数は、具体例１と同様に、バックライト６の明るさを変化させる範囲（所定の範囲）内に含まれる数値である。
【００５６】
バックライト制御回路３は、乱数テーブルの左上から右に向かって、順に乱数（要素）を取得する。そして、バックライト制御回路３は、通常時のバックライト６のバックライト設定値から、取得した乱数をオフセットとして引く、または、ゲイン値として掛けることにより、バックライト設定値を算出する。
【００５７】
乱数テーブルに含まれる乱数の数（要素数）が少ないと一定間隔で同じようなランプ揺らぎが周期的に発生してしまう。例えば、秒間６０コマの映像を表示する表示装置１において、要素数が３００で、バックライト設定値の切替を３コマごとに設定している場合、乱数テーブルを一周する期間（所定の期間）は、（１／６０）×３×３００＝１５秒となる。そのため、乱数テーブルを一周する期間を長くするには、乱数テーブルを大きくする。
【００５８】
なお、乱数テーブルは、予め表示装置１が管理している乱数表であってもよいし、映像処理回路２が発生させた乱数表であってもよいし、外部機器から取得した乱数表であってもよい。
【００５９】
また、乱数テーブルは、所定の時間ごとに更新してもよい。乱数テーブルの更新は、映像処理回路２が再度発生させた乱数を用いて行ってもよいし、ＰＣ等の外部機器から供給された乱数表を用いて行ってもよい。また、予め複数の乱数テーブルを表示装置１のメモリに記憶させておき、映像処理回路２で発生させた乱数を用いて、使用する乱数テーブルをメモリ内に記憶された複数の乱数テーブルから選択することにより、乱数テーブルを更新してもよい。これにより、バックライト設定値を、サイン波のようなだらかに変化させたり、急激に変化させたりすることができる。
【００６０】
以上のように、表示装置１は、乱数テーブルを参照してバックライト６の明るさを、所定の期間内において所定の範囲内で非周期的に変化させることができる。これにより、より好適に、周期性のない実際の映写機に近いランプ揺らぎを再現することができる。
【００６１】
（具体例３）
次に、バックライト制御回路３の制御の具体例３について図４および図５を参照しながら以下に説明する。具体例１および具体例２にて説明した乱数または乱数をテーブルとして管理した乱数テーブルを用いることにより、周期性のない実際の映写機に近いランプ揺らぎを再現することができる。しかし、一方で、明るすぎる状態や暗すぎる状態が長く続く可能性もある。これにより故障のような振る舞いが発生する可能性がある。
【００６２】
そこで、映像処理回路２は、乱数をそのままテーブルとして管理するのではなく、よりなだらかにバックライト設定値が変化するようなテーブル（平均テーブルと呼ぶ）を、上記乱数を用いて作成し、管理する。
【００６３】
図４は、バックライト制御回路３におけるバックライト６の制御の流れの一例を示したフローチャートである。また、図５は、バックライト制御回路３がバックライト６の明るさを制御する際に用いる平均テーブルであって、図３の乱数テーブルを用いて作成した平均テーブルの一例を示した図である。
【００６４】
図４に示すように、まず、映像処理回路２は、乱数を発生させる（ステップＳ１。以下、単にＳ１とする）。そして、映像処理回路２は、発生させた乱数から乱数テーブルを作成する（Ｓ２）。なお、映像処理回路２が乱数を発生させるのではなく、予め表示装置１が管理している乱数表を用いて乱数テーブルを作成してもよいし、外部機器から供給されたものであってもよい。
【００６５】
次に、映像処理回路２は、乱数テーブルに含まれる各乱数の移動平均を算出する。具体的には、映像処理回路２は、乱数テーブルのｉ番目からｉ＋２番目の乱数の平均を算出する（Ｓ３）。次に、映像処理回路２は、移動平均を算出した１つ目の要素（ｉ番目の要素）が、乱数テーブルの最後の要素か否かを確認し（Ｓ４）、最後の要素でない場合（Ｓ４にてＮＯ）、ｉをインクリメントし（Ｓ５）、Ｓ３の処理を行う。移動平均を算出したｉ番目の要素が乱数テーブルの最後の要素である場合（Ｓ４にてＹＥＳ）、つまり、全ての移動平均を算出している場合、映像処理回路２は、全ての移動平均のテーブル（平均テーブル）を作成する（Ｓ６）。
【００６６】
Ｓ３からＳ６を図３および図５を用いて更に説明する。映像処理回路２は、まず、乱数テーブルの１番目から３番目の乱数の平均を算出する。図３に示す乱数テーブルを用いる場合、（１００＋７５＋８４）／３＝８６を算出する。次に、乱数テーブルの１番目から３番目の乱数の平均（７５＋８４＋９２）／３＝８４を算出する。このように、映像処理回路２は、乱数テーブルの各乱数の移動平均を算出する。そして、映像処理回路２は、算出した移動平均を用いて、図５に示すような平均テーブルを作成する。
【００６７】
その後、バックライト制御回路３は、通常時のバックライト６のバックライト設定値から、平均テーブルに含まれる移動平均をオフセットとして引く、または、ゲイン値として掛けることにより、バックライト設定値を算出する（Ｓ７）。
【００６８】
そして、バックライト制御回路３は、バックライト６の明るさを算出したバックライト設定値に制御する（Ｓ８）。
【００６９】
なお、本実施形態において、移動平均の要素数（窓長）は、３つであることを例に説明を行ったが、本発明はこれに限定されず、任意の数であってもよい。
【００７０】
また、本実施形態において、移動平均の移動距離（シフト長）は、１であることを例に説明を行ったが、本発明はこれに限定されず、任意の移動距離であってもよい。
【００７１】
また、本実施形態において、３コマごとにバックライト設定値の切替を行うことを例に説明を行ったが、当該コマ数はこれに限定されず、任意のコマ数であってもよい。例えば、６コマごとにバックライト設定値の切替を行うことにより、３コマごとに切替を行う場合に比べ、ゆっくりとバックライト６の明るさを変化させることができる。
【００７２】
以上のように、本発明における表示装置１は、乱数テーブルに含まれる各乱数の移動平均を参照して、バックライト６の明るさを所定の期間内において、所定の範囲内で非周期的に変化させることができる。これにより、表示装置１は、よりなだらかに、周期性のない実際の映写機に近いランプ揺らぎを再現することができる。
【００７３】
（映画（クラシック）モードにおけるランプ揺らぎ効果機能について）
表示装置１は、映画（クラシック）モードにおいてバックライト制御回路３がバックライト６の明るさを変化させる範囲を設定可能なユーザインタフェース（ＵＩ）を表示パネル５に表示するようになっている。以下では、上記ユーザインタフェースについて説明する。
【００７４】
表示パネル５は、バックライト６の明るさを変化させる範囲を設定することができる「ランプ揺らぎ効果」を選択することができるメニュー画面を表示する。ランプ揺らぎ効果の設定画面には、例えば、０〜３までの数値が表示される。
【００７５】
ここで、例えば、所定の範囲が５０〜１００％の範囲（変動範囲が５０％）まで設定可能であるとする。このとき、設定画面の数値０は、ランプ揺らぎ効果が無、変動範囲が０％、バックライト設定値が常に１００％であるとする。同様に、設定画面の数値１は、ランプ揺らぎ効果が弱、変動範囲が１０％、バックライト設定値が（１００−（１００−乱数）×（１／５））であるとし、設定画面の数値２は、ランプ揺らぎ効果が中、変動範囲が３０％、バックライト設定値が（１００−（１００−乱数）×（３／５））であるとし、設定画面の数値３は、ランプ揺らぎ効果が強、変動範囲が５０％、バックライト設定値が乱数の値であるとする。なお、バックライト設定値の算出方法はこれに限定されるものではなく、表示装置１の設置場所や画面のサイズに適した計算式を用いることができる。
【００７６】
このように、ユーザによって、ランプ揺らぎ効果を設定することにより、ユーザの好みに応じて最適な動作を実現することができる。
【００７７】
（具体例４）
本実施形態に係る表示装置１は、カーボンアーク灯などを使用した古い映写機の雰囲気を再現するものである。しかし、本実施形態に係る表示装置１は、映画館のスクリーンと異なり、コントラストが高い映像を表示する場合がある。したがって、ユーザは、表示パネル５のサイズにも依存するが、画面の明るさの変動をより強く感じる場合がある。
【００７８】
具体的には、映画館では、映写機から発せられる光のスクリーンでの反射によって表示される映像を鑑賞するので、ユーザは、輝度変化を柔らかく感じる。これに対し、テレビはそれ自身が光を発するため、テレビが表示する映像のコントラストは高い。さらに、ユーザが表示装置１に対し、明るさ（バックライト６の明るさ）を強く設定した場合、ユーザは、画面の明るさの揺らぎが激しく感じられるようになる。前述のランプ揺らぎ効果機能は古い映写機で採用されていたカーボンアーク放電の放電経路が安定しないことによる独特の発光を再現する機能であるが、このような高輝度域での輝度変化は、古い映写機では実際には起こり得ない。したがって、古い映写機の雰囲気を楽しんでいるユーザは、高輝度域での輝度変化による激しい明るさの揺らぎに対し、違和感を覚える場合がある。
【００７９】
画面の明るさの揺らぎは、画面サイズ（表示パネル５のサイズ）が大きくなるほど強く感じられる。そのため、揺らぎによる違和感を減らすために、バックライト６の明るさを変化させる範囲を、バックライトの明るさの設定と表示装置１の表示パネル５のサイズと組み合わせに応じて決定してもよい。
【００８０】
図６は、画面サイズ（表示パネル５のサイズ）に対して、ユーザが設定した値であって、画面の明るさ（バックライト６の明るさ）設定の値における、バックライト６の明るさの変動範囲を示すテーブルの一例を示す図である。
【００８１】
図６からわかるように、このテーブルには、設定値と画面サイズとの組み合わせ毎に、バックライト６の明るさの変動範囲が示されている。このテーブルは、例えば、設定値「＋１６」との組み合わせであって相対的に狭い範囲「３０％」が定められている組み合わせを構成する画面サイズが、当該設定値「＋１６」との組み合わせであって相対的に広い範囲「４０％」が定められている組み合わせを構成する画面サイズよりも１０インチ（＝８０インチ−７０インチ）大きい旨を示している。また、このテーブルは、例えば、画面サイズ「８０インチ」との組み合わせであって相対的に狭い範囲「３０％」が定められている組み合わせを構成する設定値が、当該画面サイズ「８０インチ」との組み合わせであって相対的に広い範囲「４６％」が定められている組み合わせを構成する設定値よりも１６（＝１６−０）大きい旨を示している。
【００８２】
また、図６において、バックライト６の明るさ設定の値は、−１６〜＋１６の範囲であるとするが、本発明はこれに限定されるものではない。
【００８３】
ここで、バックライト６の明るさ設定の値は、ユーザが、予め設定画面（例えば、ユーザーメニュー）から設定した値であるとするが、これに限定されるものではなく、予め表示装置１に設定された値であってもよい。
【００８４】
図６に示すように、例えば、表示パネル５のサイズが９０インチ以上であり、バックライト６の明るさ設定の値が−１６であるとき、表示装置１のバックライト制御部３は、図６のテーブルを参照することで、バックライト６の明るさを変化させる範囲（所定の範囲）の上限値と下限値との差（変動範囲）が５０％となるように、上記所定の範囲を決定してもよい。また、表示パネル５のサイズが９０インチ以上の場合、バックライト６の明るさ設定の値が−５（図６においては、この値を明るさ設定の初期値とする）であるとき、変動範囲を５０％とし、バックライト６の明るさ設定の値が０であるとき、変動範囲を４４％とし、バックライト６の明るさ設定の値が＋１６であるとき、変動範囲を２０％としてもよい。
【００８５】
一方、例えば、表示パネル５のサイズが６０インチ以下である場合、バックライト制御部３は、図６のテーブルを参照し、バックライト６の明るさ設定の値が−１６、−５、０、＋１６のいずれのときも、バックライト６の明るさを変化させる範囲（所定の範囲）の上限値と下限値との差（変動範囲）が５０％となるように、上記所定の範囲を決定してもよい。なお、表示パネル５のサイズに対して、ユーザが設定した値であって、バックライト６の明るさ設定の値における、バックライト６の明るさの変動範囲は一例であり、これに限定されるものではない。
【００８６】
このように、表示装置１は、バックライト６の明るさ設定と表示パネル５のサイズとの組み合わせに応じて、変動範囲を変化させることでユーザの違和感を緩和させることができる。具体的には、表示パネル５のサイズが一定以上である場合には明るさ設定の値が大きくなるにつれて段階的に変動範囲が小さくなり、且つ、明るさ設定の値が所定値（本実施形態では０であるが最小値であってもよい）以上であるときの変動範囲が表示パネル５のサイズが大きい場合ほど小さくなるように、変動範囲を変化させることでユーザの違和感を緩和させることができる。
【００８７】
なお、本例では、バックライト６の明るさ設定と表示パネル５のサイズとの組み合わせで、変動範囲を決定することについて説明を行ったが、変動範囲は、表示パネル５のサイズにかかわらず、バックライト６の明るさ設定に応じて決定してもよい。
【００８８】
また、バックライト６の明るさ設定と表示パネル５に表示される映像のサイズとの組み合わせに応じて、変動範囲を変化させてもよい。
【００８９】
例えば、９０インチの表示パネル５に９０インチの映像をフルスクリーン表示している場合に、バックライト制御部３は、バックライトの明るさを以下のように制御してもよい。
【００９０】
すなわち、表示装置１のバックライト制御部３は、バックライト６の明るさ設定の値が−１６である場合、バックライト６の明るさを変化させる範囲（所定の範囲）の上限値と下限値との差（変動範囲）が５０％となるように、上記所定の範囲を決定してもよい。また、バックライト６の明るさ設定の値が−５である場合に変動範囲を５０％とし、バックライト６の明るさ設定の値が０である場合に変動範囲を４４％とし、バックライト６の明るさ設定の値が＋１６である場合に変動範囲を２０％としてもよい。
【００９１】
一方、例えば、９０インチの表示パネル５の中央部分に６０インチの映像を表示し、その周囲には映像を表示していない場合、バックライト制御部３は、バックライトの明るさを以下のように制御してもよい。
【００９２】
すなわち、バックライト制御部３は、バックライト６の明るさ設定の値が−１６、−５、０、＋１６のいずれのときも、バックライト６の明るさを変化させる範囲（所定の範囲）の上限値と下限値との差（変動範囲）が５０％となるように、上記所定の範囲を決定してもよい。
【００９３】
このように、表示装置１は、バックライト６の明るさ設定と映像のサイズとの組み合わせに応じて、変動範囲を変化させることでもユーザの違和感を緩和させることができる。具体的には、映像のサイズが一定以上である場合には明るさ設定の値が大きくなるにつれて段階的に変動範囲が小さくなり、且つ、明るさ設定の値が所定値（本実施形態では０であるが最小値であってもよい）以上であるときの変動範囲が映像のサイズが大きい場合ほど小さくなるように、変動範囲を変化させることでユーザの違和感を緩和させることができる。
【００９４】
＜実施形態２＞
バックライト６の明るさを変化させることによりランプ揺らぎを実現することについて説明を行ったが、本発明はこれに限定されない。例えば、映像のコントラストを変化させることにより、ランプ揺らぎを実現してもよい。
【００９５】
映像処理回路２は、通常時のコントラストを１００％（１．００倍）として設定し（コントラスト設定値）、具体例１と同様に、予め表示装置１が管理している乱数を用いて、映像の各画素値を補正することによって、所定のフレーム（コマ）毎に、所定の範囲内で非周期的（ランダム）に、コントラストを変化させる。これにより、表示装置１は、周期性のない実際の映写機に近いランプ揺らぎを再現することができる。
【００９６】
なお、コントラストの変動範囲は、表示装置１の設定画面において、例えば、０．２倍〜１．２倍の範囲で変動可能であるが、本例においては、例えば、０．８倍〜１．２倍の変動範囲内で、非周期的に変化させることもできる。
【００９７】
また、コントラストを、通常時のコントラストから高くするように制御した場合、映像のサチュレーションが生じる場合がある。つまり、高階調の映像で白飛び、色抜けなどが発生し、ランプ揺らぎによって物が見えたり見えなかったりする、といった弊害が発生する可能性がある。そのため、本例のように、映像処理回路２は、通常時のコントラストから低くするように、コントラストを制御することが好ましい。
【００９８】
また、映像処理回路２は、具体例２と同様に、乱数テーブルを参照してコントラストを、所定の期間内において所定の範囲内で非周期的に変化させてもよいし、具体例３と同様に、乱数テーブルに含まれる各乱数の移動平均を参照して、コントラストを所定の期間内において、所定の範囲内で非周期的に変化させてもよい。
【００９９】
また、コントラストを変化させる範囲（所定の範囲）は、表示装置１の表示パネル５のサイズに応じて決定してもよい。
【０１００】
これにより、表示装置１は、より好適に、周期性のない実際の映写機に近いランプ揺らぎを再現することができる。
【０１０１】
また、バックライトの明るさと同様にコントラストもユーザインタフェースを用いて設定することができる。
【０１０２】
また、映像処理回路２は、映像のみにコントラストを変化させることができる。つまり、映像処理回路２は、表示パネル５に表示された画面に、映像に加えて、データ放送コンテンツ、メニュー画面、インターネット画面等が混在している場合、映像にのみにランプ揺らぎ効果を施し、それ以外の部分はランプ揺らぎ効果を施さないようにすることができる。これにより、表示装置１は、映像が表示されている領域のみにランプ揺らぎ効果を施すことができる。
【０１０３】
＜実施形態３＞
バックライト６を複数の領域に分割し、バックライト制御回路３は、バックライト６が光を照射する時期（タイミング）、バックライト６が光を照射する期間（光を照射しない期間）およびバックライト６が照射する光の強度等を分割された領域毎に制御してもよい。バックライト制御回路３はいわゆるローカルデミング制御を行ってもよい。
【０１０４】
この場合、バックライト制御回路３は、表示パネル５上の映像が表示されている領域に対応するバックライト６の領域のみ、バックライト設定値に応じてバックライトの明るさを変化させてもよい。
【０１０５】
〔補足〕
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０６】
最後に、表示装置１の各ブロック、特に映像処理回路２およびバックライト制御回路３は、ハードウェアロジックによって構成してもよいし、次のようにＣＰＵを用いてソフトウェアによって実現してもよい。
【０１０７】
すなわち、表示装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示装置１の制御プログラムのプログラムコード（実行形式プログラム、中間コードプログラム、ソースプログラム）をコンピュータで読み取り可能に記録した記録媒体を、上記表示装置１に供給し、そのコンピュータ（またはＣＰＵやＭＰＵ）が記録媒体に記録されているプログラムコードを読み出し実行することによっても、達成可能である。
【０１０８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【０１０９】
また、表示装置１を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１０】
本発明に係る表示装置は、テレビ等の表示装置一般に利用することができる。
【符号の説明】
【０１１１】
１  表示装置
２  映像処理回路（制御手段、コントラスト制御手段、乱数表管理手段）
３  バックライト制御回路（制御手段、バックライト制御手段）
４  駆動回路
５  表示パネル
６  バックライト
７  表示部
【図１】
0005467164.tif 000002
【図２】
0005467164.tif 000003
【図３】
0005467164.tif 000004
【図４】
0005467164.tif 000005
【図５】
0005467164.tif 000006
【図６】
0005467164.tif 000007